(57)【特許請求の範囲】
【請求項１】
コート本体(2) の後身頃(6) が中心部において左右の後身頃半体(6a)(6b)に分離可能とされているとともに、前身頃(3) が中心部において左右の前身頃半体(3a)(3b)に分離可能とされ、分離した左右の後身頃半体(6a)(6b)または前身頃半体(3a)(3b)の間に被覆用補助布(11)を装着することにより後身頃(6) の身幅または前身頃(3) の身幅を拡大し、着用者が背負いまたは前抱きした乳幼児を覆って着用する子守用コートにおいて、
前記後身頃半体(6a)(6b)の左右肩線間に、係合時にコート本体(2) の襟ぐりを保持し、解離時に該襟ぐりの拡大を可能とし、少なくとも一方の肩線部において後身頃半体(6a)(6b)から着脱可能とされている肩ずれ防止タブ(9) を有することを特徴とする子守用コート。
【請求項２】
コート本体(2) の後身頃(6) が中心部において左右の後身頃半体(6a)(6b)に分離可能とされているとともに、前身頃(3) が中心部において左右の前身頃半体(3a)(3b)に分離可能とされ、分離した左右の後身頃半体(6a)(6b)または前身頃半体(3a)(3b)の間に被覆用補助布(11)を装着することにより後身頃(6) の身幅または前身頃(3) の身幅を拡大し、着用者が背負いまたは前抱きした乳幼児を覆って着用する子守用コートにおいて、
前記後身頃半体(6a)(6b)の左右肩線間に、係合時にコート本体(2) の襟ぐりを保持し、解離時に該襟ぐりの拡大を可能とし、中心部において左右の肩ずれ防止タブ半体(39a)(39b)に分離可能とされているとともに、後襟ぐりにおいて後身頃半体(36a)(36b)から着脱可能とされている肩ずれ防止タブ(39) を有することを特徴とする子守用コート。
【請求項３】
前記被覆用補助布(11)は裾幅を縮小可能とされている請求項１または２に記載の子守用コート。
【発明の詳細な説明】
【０００１】
【発明の属する技術分野】
この発明は、子守帯等で背負い（おんぶ）または前抱き（だっこ）した乳幼児を覆って着用する子守用コートに関するものである。
【０００２】
【従来の技術】
従来、この種のコートとしては、図１０(A) および図１１(A) に示すいわゆるママコート(51)と称されるものがある。このママコート(51)は、コート本体(52)の前身頃(3) が打合せにより前身頃半体(3a)(3b)に分離されるとともに、襟(8) つづきの後身頃(6) がファスナ(7a)(7b)により左右の後身頃半体(6a)(6b)に分離可能とされている。また、前身頃半体(3a)(3b)の打合せ見返しに被覆用補助布(53)装着用のファスナ(5a)(5b)が縫着されている。そして、背負いの場合は分離した左右の後身頃半体(6a)(6b)の間に被覆用補助布(53)を前記ファスナ(7a)(12a),(12b)(7b) で装着し、前抱きの場合は分離した前身頃半体(3a)(3b)の間に前記被覆用補助布(53)を前記ファスナ(5a)(12a),(5b)(12b) で装着し、襟ぐりや身幅を拡大して乳幼児の身体を覆うゆとりを付加して着用するものである。
【０００３】
【発明が解決しようとする課題】
しかし、前述のママコート(51)を背負い時に着用する場合、コート本体(52)の襟ぐり寸法に被覆用補助布(53)の幅が加わって後襟ぐりが大きくなるが、乳幼児の頭部を覆うために付加したゆとりがコートの襟ぐりを広げる結果となり、図１０(A) に示すように、コート(51)の襟ぐりが横や後に広がって肩がずれ落ち、袖丈が長くなって手を隠してしまい、着用者の動作を妨げるという問題点があった。また、被覆用補助布(53)の重みでコート(51)が横や後に引っ張られ、前襟ぐりが上がって襟(8) を抜いた状態となる。そのため、首が窮屈になりシルエットが崩れたり、襟ぐりが横に大きく開くために着用者や乳幼児の肩口が十分に覆われず、防風、防寒等の機能も悪くなるという問題点もあった。
【０００４】
また、前記被覆用補助布(53)の装着によってコート(51)の裾幅に前後で大きな差が生じるが、裾付近では乳幼児のためのゆとり量は頭部や胴部より少なくて良いから、被覆用補助布(53)を装着した側の裾幅のゆとり量が多くなりすぎて脇線が前後にずれるという問題点があった。即ち、図１１(A) に示すように、前記被覆用補助布(53)を後身頃(6) に装着した場合は、後裾幅が大きくなるために、脇線(16)が前へずれて前身頃(3) がだぶって裾線(17)が上がってしまう。逆に、前記被覆用補助布(53)を前身頃(3) に装着した場合は、前裾幅が大きくなるために、脇線(16)が後にずれて後身頃(6) の裾線(17)が上がってしまう（図示省略）。いずれの場合もコート(51)のシルエットが崩れて着姿の美しさに欠けることとなる。
【０００５】
この発明は、このような状況に鑑み、着用者の動作を妨げることなく、コートとしての美しいシルエットを保つことのできる子守用コートの提供を目的とする。
【０００６】
【課題を解決するための手段】
前記目的を達成するために、コート本体(2) の後身頃(6) が中心部において左右の後身頃半体(6a)(6b)に分離可能とされているとともに、前身頃(3) が中心部において左右の前身頃半体(3a)(3b)に分離可能とされ、分離した左右の後身頃半体(6a)(6b)または前身頃半体(3a)(3b)の間に被覆用補助布(11)を装着することにより後身頃(6) の身幅または前身頃(3) の身幅を拡大し、着用者が背負いまたは前抱きした乳幼児を覆って着用する子守用コートにおいて、この発明の第１の子守用コートは、前記後身頃半体(6a)(6b)の左右肩線間に、係合時にコート本体(2) の襟ぐりを保持し、解離時に該襟ぐりの拡大を可能とする肩ずれ防止タブ(9)(39) を有することを特徴とするものである。また、第２の子守用コートは、前記被覆用補助布(11)が裾幅を縮小可能とされていることを特徴とするものである。さらに、第３の子守用コートは、前記後身頃半体(6a)(6b)の左右肩線間に、係合時にコート本体(2) の襟ぐりを保持し、解離時に該襟ぐりの拡大を可能とする肩ずれ防止タブ(9) を有するとともに、前記被覆用補助布(11)は裾幅を縮小可能とされていることを特徴とするものである。
【０００７】
さらに、前記肩ずれ防止タブ(9) は、少なくとも一方の肩線部において後身頃半体(6a)(6b)から着脱可能とされていることが好ましく、あるいは前記肩ずれ防止タブ(39)は、中心部において左右の肩ずれ防止タブ半体(39a)(39b)に分離可能とされているとともに、後襟ぐりにおいて後身頃半体(36a)(36b)から着脱可能とされていることが好ましい。
【０００８】
【好ましい実施形態】
図１乃至図６は、この発明にかかる子守用コート(1) の一例である。
【０００９】
図１、図３および図５に示すように、前記子守用コート(1) の本体(2) において、前身頃(3) は、左右の前身頃半体(3a)(3b)に分割され打合わせが釦留めとされているとともに、左右の打合せ見返し(4a)(4b)にそれぞれ被覆用補助布装着用のファスナ(5a)(5b)が縫着されている。後身頃(6) および襟(8) は、中心でファスナ(7a)(7b)により左右の襟半体(8a)(8b)つづきで左右の後身頃半体(6a)(6b)に分離可能とされている。また、前記後身頃半体(6a)(6b)の裏面の左右の肩線間に、後身頃半体(6a)(6b)の襟ぐりのカ−ブに沿った細長い肩ずれ防止タブ(9) が、一方の肩線部で縫着され、他方の肩線部において面ファスナ(10a)(10b)により後身頃半体(6b)から着脱可能に取付けられている。
【００１０】
また、図２(A)(B)に示すのは、前記コート本体(2) に装着する被覆用補助布(11)であり、長さがコート本体(2) の襟(8a)(8b)つづきの後身頃半体(6a)(6b)と同寸に、幅が襟側が広く裾側で狭い台形に形成され、左右両端に前身頃半体(3a)(3b)および後身頃半体(6a)(6b)に縫着されたファスナ(5a)(5b),(7a)(7b) に対応するファスナ(12a)(12b)が縫着されている。さらに、前記被覆用補助布(11)の表の裾部の左右両縁部に、縦に３個の釦(13)およびこれらの釦(13)に対応する釦ホール(14)が形成された一対の持出し(15a)(15b)が縫着され、これらの釦(13)を留めることにより被覆用補助布(11)の裾幅を縮小するようにされている。
【００１１】
上述の子守用コート(1) は次のようにして着用する。
【００１２】
先ず、背負いの場合、図３に示すようにコート本体(2) の左右の後身頃半体(6a)(6b)を分離してファスナ(7a)(12a),(7b)(12b) により被覆用補助布(11)を装着するとともに、肩ずれ防止タブ(9) は面ファスナ(10a)(10b)を外して後身頃半体(6b)から解離させておく。次に、乳幼児を覆い、袖を通して着用する。この状態では襟ぐりが拡大されているから、背負った乳幼児の頭部をコート(1) 内にスムーズに収めることができる。そして、図４に示すように肩ずれ防止タブ(9) の面ファスナ(10a)(10b)を閉じる。
【００１３】
上記着用状態において、図４および図１０(B) に示すように、前記肩ずれ防止タブ(9) によりコート本体(2) の襟ぐりが保持されるため、図１０(A) に示すような肩落ちにより袖丈が長くなって着用者の動作を妨げることがない。また、襟ぐりが横に広がることもないから、防寒等の機能も十分に得られ、かつコート本来の美しいシルエットを保つことができる。
【００１４】
また、図４および図１１(B) に示すように、前記被覆用補助布(11)に縫着した持出し(15a)(15b)の釦(13)を留めて裾幅を縮小することにより、脇線(16)が前にずれなくなるから、図１１(A) に示すように前裾の跳ね上がりがなくなり裾線(17)が水平になってデザインどおりのシルエットを保つことができる。また、この例のように、持出し(15a)(15b)に縦に複数個の釦を付け、最下段から順に留める釦数を変えれば、乳幼児の成長に合せていずれも美しいシルエットを保つことができる。なお、図４は全部の釦(13)を留めて最も小さい乳児に使用した場合を示している。
【００１５】
また、前抱きの場合は、図５に示すように、被覆用補助布(11)を前身頃見返し(4a)(4b)のファスナ(5b)(12b) により一方のみをコート本体(2) に装着し、袖を通したのちに他方のファスナ(5a)(12a) を閉めて着用する（図６）。このとき、肩ずれ防止タブ(9) は使用しないため、着用動作の邪魔にならないように面ファスナ(10a)(10b)で後身頃半体(6b)に留めておけば良い。また、前抱きで使用するときも被覆用補助布(11)の持出し(15a)(15b)の釦(13)留めにより、前身頃半体(3a)(3b)の裾幅を縮小し脇線(16)の後へのずれが防止されるため、後裾が跳ね上がることなく裾線(17)が水平になり、デザインどおりのシルエットを保つことができる。
【００１６】
なお、図１乃至図６に示したコート(1) は、肩ずれ防止タブ(9) の襟ぐり拡大防止機能と被覆用補助布(11)の裾幅縮小機能との相乗効果により一層美しいシルエットを作り出すようになされているが、どちらか一方のみを採用することによっても従前のコートのシルエットを改善することができる。
【００１７】
また、前記肩ずれ防止タブ(9) は、一方の肩線部で後身頃半体(6b)に面ファスナ(10a)(10b)で脱着するものとしたが、着脱方法は面ファスナ(10a)(10b)に限定するものではなく、釦留めやスナップ留めとしても良い。また、襟ぐり保持のみを目的とするならば、タブの両端を左右肩線部に縫着し、タブ中央部で左右に分離させて面ファスナ等で重ね継ぎすることも可能であるが、両手を真後ろに回して手探りで着脱動作をしなければならず不便であるため、中央部での着脱よりも首を回せば目で確認しながら動作ができる肩線部での着脱が好ましい。
【００１８】
さらに、前記被覆用補助布(11)の裾幅調節の方法は図２等に示される釦留めに限定されるものではなく、図７(A)(B)に示すようなファスナ(18)の開閉によるものや、紐(19)結びによるものでも良い。ファスナ(18)の場合は途中まで閉めることにより、また紐(19)の場合は多段に紐を付けて下段のみを結ぶことにより、乳幼児の成長に合わせた裾幅調節が可能である。
【００１９】
なお、図１乃至図６に示したコート(1) は、前身頃(3) の打合せの開閉、即ち左右の前身頃半体(3a)(3b)の分離を釦留めにより行っているが、この発明はこのような形態に限定されるものではなく、ファスナ、バックル留め等の任意の開閉手段を用いることができる。また、後身頃(6) と同様に、被覆用補助布(11)の装着に用いるファスナ(5a)(5b)で前身頃半体(3a)(3b)を分離・合体させることもできる。
【００２０】
図８および図９は、この発明にかかる子守用コート(31)の他の例である。この子守用コート(31)の前身頃は前述のコートと同一構造であるから説明を省略し、後身頃のみについて説明する。
【００２１】
前記子守用コート(31)は、後身頃(36)から分離させた襟(38)が肩ずれ防止タブ(39)に縫着一体化されているとともに、一体化された襟(38)および肩ずれ防止タブ(39)は、２組の面ファスナ(40a)(40b),(41a)(41b) により中央部で左右の襟半体(38a)(38b)および肩ずれ防止タブ半体(39a)(39b)に分離可能とされている。また、ファスナ(37a)(37b)により左右に分離可能となされた後身頃半体(36a)(36b)は、後襟ぐり見返し(42a)(42b)に付けた釦(43)を前記肩ずれ防止タブ半体(39a)(39b)の釦ホール(44)に係合させることにより、肩ずれ防止タブ半体(39a)(39b)と一体化させることができる。
【００２２】
上述の子守用コート(31)を背負い時に着用する場合、図８に示すように、後身頃半体(36a)(36b)にファスナ(37a)(37b),(12a)(12b) により被覆用補助布(11)を装着し、前記釦(43)を外して後身頃半体(36a)(36b)と肩ずれ防止タブ半体(39a)(39b)とを分離するとともに、襟半体(38a)(38b)および肩ずれ防止タブ半体(39a)(39b)も左右に分離する。この分離状態においては、後襟ぐりは拡大されているから乳幼児の頭部をコート内にスムーズに収めて着用できる。そして、図９に示すように、肩ずれ防止タブ半体(39a)(39b)および襟半体(38a)(38b)の面ファスナ(40a)(40b),(41a)(41b) を閉じて折れ山線(45)で襟(38)を折る。このように、前記面ファスナ(40a)(40b),(41a)(41b) を閉じることにより、前述のコート(1) と同様に、コート本体の襟ぐりが保持され、肩落ちを防止して本来のシルエットを保つことができる。また、前抱きの場合は、後身頃半体(36a)(36b)のファスナ(37a)(37b)を閉じて左右身頃を合体させ、後身頃襟ぐりの釦(43)を肩ずれ防止タブ半体(39a)(39b)の釦ホール(44)に留めるとともに前記面ファスナ(40a)(40b),(41a)(41b) を閉じると、前述の子守用コート(1) と同様の後着用姿となる。
【００２３】
なお、前記子守用コート(31)において、肩ずれ防止タブ半体(39a)(39b)および襟半体(38a)(38b)の左右分割および肩ずれ防止タブ半体(39a)(39b)の後身頃半体(36a)(36b)への着脱は、図８および図９に示すような面ファスナおよび釦留めに限定されるものではなく、それぞれ、面ファスナ、釦留め、スナップ留め、ファスナ等を適宜選択して使用すれば良い。
【００２４】
【発明の効果】
以上のように、この発明の子守用コートは、コート本体の後身頃が中心部において左右の後身頃半体に分離可能とされているとともに、前身頃が中心部において左右の前身頃半体に分離可能とされ、分離した左右の後身頃半体または前身頃半体の間に被覆用補助布を装着することにより後身頃の身幅または前身頃の身幅を拡大し、着用者が背負いまたは前抱きした乳幼児を覆って着用する子守用コートにおいて、前記後身頃半体の左右肩線間に肩ずれ防止タブを有するから、該タブの係合によりコート本体の襟ぐりが保持され、着用時に襟ぐりが横や後に拡大することがなく肩落ちもしない。そのため、着用者の動作を妨げることがなく、かつ美しいシルエットを保つことができる。また、肩ずれ防止タブは解離すれば襟ぐりの拡大が可能とされているため、羽織って袖を通す際に背負った乳幼児の頭部をスムーズにコート内に収めて着用することができる。
【００２５】
また、前記肩ずれ防止タブは、少なくとも一方の肩線部において後身頃半体から着脱可能とされている場合には、特にタブの係合・解離が容易である。また、前記肩ずれ防止タブは、中心部において左右の肩ずれ防止タブ半体に分離可能とされているとともに、後襟ぐりにおいて後身頃半体から着脱可能とされている場合は、襟ぐり保持機能を保有しつつコートのデザインの多様化にも対応できる。
【００２６】
さらに、前記肩ずれ防止タブにより、背負い時にコート本体の襟ぐりが保持されるため、左右の前身頃半体を開けてカジュアルに着こなすこともできるし、襟無しのデザインも可能となる。
【００２７】
また、子守用コートにおいて、前記被覆用補助布が裾幅を縮小可能とされている場合には、着用時に脇線のずれを防いで裾線を水平に保つことができ、美しいシルエットを保つことができる。
【００２８】
さらに、前記肩ずれ防止タブを有するとともに、前記被覆用補助布が裾幅を縮小可能とされている場合には、上述のそれぞれの効果が相乗してより一層美しいシルエットを保つことができる。
【図面の簡単な説明】
【図１】  子守用コートの一例のコート本体を示す正面図である。
【図２】  この発明の子守用コートの被覆用補助布であり、（Ａ）は正面図、（Ｂ）は背面図である。
【図３】  図１および図２の子守用コートにおいて、肩ずれ防止タブの分離状態および後身頃への被覆用補助布装着方法を示す背面図である。
【図４】  図１および図２の子守用コートの後着用姿を示す斜視図である。
【図５】  図１および図２の子守用コートにおいて、前身頃への被覆用補助布装着方法を示す正面図である。
【図６】  図１および図２の子守用コートの前着用姿を示す斜視図である。
【図７】  （Ａ）（Ｂ）は、被覆用補助布の他の例を示す正面図である。
【図８】  この発明の子守用コートの他の例において、肩ずれ防止タブの分離状態および後身頃への被覆用補助布装着方法を示す背面図である。
【図９】  この発明の子守用コートの他の例において、肩ずれ防止タブの係合状態を示す背面図である。
【図１０】  この発明の子守用コートを従来品と比較する着用時の背面図であり、（Ａ）は従来のコート、（Ｂ）はこの発明のコートである。
【図１１】    この発明の子守用コートを従来品と比較する着用時の側面図であり、（Ａ）は従来のコート、（Ｂ）はこの発明のコートである。
【符号の説明】
１、３１…子守用コート
２…コート本体
３…前身頃
3a,3b …前身頃半体
６、36…後身頃
6a,6b,36a,36b …後身頃半体
９、39…肩ずれ防止タブ
39a,39b …肩ずれ防止タブ半体
11…被覆用補助布
【図１】
0003749767.tif 000002
【図２】
0003749767.tif 000003
【図３】
0003749767.tif 000004
【図４】
0003749767.tif 000005
【図５】
0003749767.tif 000006
【図６】
0003749767.tif 000007
【図７】
0003749767.tif 000008
【図８】
0003749767.tif 000009
【図９】
0003749767.tif 000010
【図１０】
0003749767.tif 000011
【図１１】
0003749767.tif 000012